(57)【要約】【課題】前記第一の面または前記第二の面と前記シート部材との間に気泡が残存することを抑制可能なシート部材の配設方法及びこのシート部材を備えた表示装置を提供する。【解決手段】表示装置（車両用表示装置）１は、開口部（第一の開口部）３ｄを有するケース体（ハウジング）３に収納された表示器２と、開口部３ｄに表示器２と対向して配設される保護部材４と、表示器２の第一の面と保護部材４の第二の面との間に配設される弾性を有するシート部材５と、を備える。前記第一の面または前記第二の面の少なくとも一方の面は、曲面状あるいは傾斜状に形成されてなる。【選択図】  図１
2004294994.tif 000002
【特許請求の範囲】
【請求項１】
開口部を有するケース体に収納された表示器と、前記開口部に前記表示器と対向して配設され前記表示器からの表示光を透過可能とする保護部材と、前記表示器の第一の面と前記保護部材の第二の面との間に配設される弾性を有するシート部材と、を備えてなる表示装置であって、
前記第一の面または前記第二の面の少なくとも一方の面は、曲面状あるいは傾斜状に形成されてなることを特徴とする表示装置。
【請求項２】
前記一方の面は、前記シート部材に向かって凸になるように形成されてなることを特徴とする請求項１に記載の表示装置。
【請求項３】
前記シート部材は、前記一方の面に沿って形状変形した状態にて、前記第一の面と前記第二の面との間に配設されてなることを特徴とする請求項１または請求項２に記載の表示装置。
【請求項４】
開口部を有するケース体に収納された表示器と、前記開口部に前記表示器と対向して配設され前記表示器からの表示光を透過可能とする保護部材と、前記表示器の第一の面と前記保護部材の第二の面との間に配設される弾性を有するシート部材と、を備えてなる表示装置であって、
前記シート部材の前記第一の面と当接する第一の当接面または前記第二の面と当接する第二の当接面の少なくとも一方の当接面は、曲面状あるいは傾斜状に形成されてなることを特徴とする表示装置。
【請求項５】
前記一方の当接面は、前記一方の当接面と当接する前記第一の面または前記第二の面に向かって凸になるように形成されてなることを特徴とする請求項５に記載の表示装置。
【請求項６】
前記シート部材は、前記第一の面または前記第二の面に沿って形状変形した状態にて、前記第一の面と前記第二の面との間に配設されてなることを特徴とする請求項４または請求項５に記載の表示装置。
【請求項７】
第一の面と第二の面との間に弾性を有するシート部材を配設するシート部材の配設方法であって、
前記第一の面または前記第二の面の少なくとも一方の面を曲面状もしくは傾斜状に形成し、前記一方の面の高い個所から低い個所に向けて徐々に前記シート部材を当接させることを特徴とするシート部材の配設方法。
【請求項８】
前記一方の面は、前記シート部材に向かって凸になるように形成されてなることを特徴とする請求項７に記載のシート部材の配設方法。
【請求項９】
第一の面と第二の面との間に弾性を有するシート部材を配設するシート部材の配設方法であって、
前記シート部材の前記第一の面と当接する第一の当接面または前記第二の面と当接する第二の当接面の少なくとも一方の当接面を曲面状もしくは傾斜状に形成し、前記一方の当接面の高い個所から低い個所に向けて徐々に前記第一の面または前記第二の面に当接させることを特徴とするシート部材の配設方法。
【請求項１０】
前記一方の当接面は、前記一方の当接面と当接する前記第一の面または前記第二の面に向かって凸になるように形成されてなることを特徴とする請求項９に記載のシート部材の配設方法。
【発明の詳細な説明】
【０００１】
【発明の属する技術分野】
本発明は、弾性を有するシート部材を第一の面と第二の面との間に配設するシート部材の配設方法及びこのシート部材を備えた表示装置に関するものである。
【０００２】
【従来の技術】
従来より、表示装置として、蛍光表示管（ＶＦＤ），液晶表示素子あるいは有機ＥＬ（エレクトロルミネッセンス）素子等からなる表示パネルからなる表示器を所定のケース体に収納し、前記表示器によって所定の情報を表示するものが知られている。
【０００３】
また、かかる表示装置は、前記表示器を保護するために、前記ケース体の前記表示器と対向する個所に開口部を設け、前記開口部にガラスや樹脂材料等からなる透光性の保護部材が配設されている。前記表示器と前記保護部材との間には通常、隙間部が設けられており、外部からの衝撃等から前記表示器を保護している。しかしながら、この隙間部内に入射した外光あるいは前記表示器の表示光の一部が前記隙間内で反射し、前記表示器の視認性を低下させるという問題点があった。
【０００４】
この問題点を解決するものとして、表示器と保護部材との間に、非粘着性でゴム弾性を有する平板状のシリコーン系のシート部材を介在させるものがある（特許文献１参照）。
【０００５】
【特許文献１】
特開２００２−２８７１１９号公報
【０００６】
【発明が解決しようとする課題】
しかしながら、かかる表示装置は、前記表示器の第一の面と前記保護部材の第二の面とで前記シート部材を挟持する構成となるが、前記第一，第二の面と前記シート部材の前記第一，第二の面と当接する第一，第二の当接面が互いに平面状であり、前記シート部材が弾性を有するために、前記シート部材を配設する際に前記シート部材の周辺部から前記第一の面または前記第二の面と密着することで、前記表示器あるいは前記保護部材と前記シート部材との間に空気が巻き込まれて気泡が残存し、気泡が残存した個所で光の反射が起こり、視認性を低下させるという問題点を有している。特許文献１には、気泡が残存した際には、前記シート部材の端部を剥がして再度密着させる、あるいは前記シート部材または前記保護部材を手で押すことで気泡を抜くことができる点が開示されているが、前記シート部材を前記第一，第二の面の間に配設した後では前記シート部材を剥がすまたは前記シート部材を押すことができず、また、前記保護部材を押す方法では、作業工程が増加し、製造効率が悪いという問題点がある。
【０００７】
本発明は、この問題点に鑑みてなされたものであり、第一の面と第二の面との間に弾性を有するシート部材を配設する際に前記第一の面または前記第二の面と前記シート部材との間に気泡が残存することを抑制可能なシート部材の配設方法及びこのシート部材を備えた表示装置を提供することを目的とする。
【０００８】
【課題を解決するための手段】
本発明は、前記課題を解決するため、請求項１に記載のように、開口部を有するケース体に収納された表示器と、前記開口部に前記表示器と対向して配設され前記表示器からの表示光を透過可能とする保護部材と、前記表示器の第一の面と前記保護部材の第二の面との間に配設される弾性を有するシート部材と、を備えてなる表示装置であって、前記第一の面または前記第二の面の少なくとも一方の面は、曲面状あるいは傾斜状に形成されてなることを特徴とする。
【０００９】
また、請求項１において、請求項２に記載のように、前記一方の面は、前記シート部材に向かって凸になるように形成されてなることを特徴とする。
【００１０】
また、請求項１または請求項２において、請求項３に記載のように、前記シート部材は、前記一方の面に沿って形状変形した状態にて、前記第一の面と前記第二の面との間に配設されてなることを特徴とする。
【００１１】
また、請求項４に記載のように、開口部を有するケース体に収納された表示器と、前記開口部に前記表示器と対向して配設され前記表示器からの表示光を透過可能とする保護部材と、前記表示器の第一の面と前記保護部材の第二の面との間に配設される弾性を有するシート部材と、を備えてなる表示装置であって、前記シート部材の前記第一の面と当接する第一の当接面または前記第二の面と当接する第二の当接面の少なくとも一方の当接面は、曲面状あるいは傾斜状に形成されてなることを特徴とする。
【００１２】
また、請求項４において、請求項５に記載のように、前記一方の当接面は、前記一方の当接面と当接する前記第一の面または前記第二の面に向かって凸になるように形成されてなることを特徴とする。
【００１３】
また、請求項４または請求項５において、請求項６に記載のように、前記シート部材は、前記第一の面または前記第二の面に沿って形状変形した状態にて、前記第一の面と前記第二の面との間に配設されてなることを特徴とする。
【００１４】
また、請求項７に記載のように、第一の面と第二の面との間に弾性を有するシート部材を配設するシート部材の配設方法であって、前記第一の面または前記第二の面の少なくとも一方の面を曲面状もしくは傾斜状に形成し、前記一方の面の高い個所から低い個所に向けて徐々に前記シート部材を当接させることを特徴とする。
【００１５】
また、請求項７において、請求項８に記載のように、前記一方の面は、前記シート部材に向かって凸になるように形成されてなることを特徴とする。
【００１６】
また、請求項９に記載のように、第一の面と第二の面との間に弾性を有するシート部材を配設するシート部材の配設方法であって、前記シート部材の前記第一の面と当接する第一の当接面または前記第二の面と当接する第二の当接面の少なくとも一方の当接面を曲面状もしくは傾斜状に形成し、前記一方の当接面の高い個所から低い個所に向けて徐々に前記第一の面または前記第二の面に当接させることを特徴とする。
【００１７】
また、請求項９において、請求項１０に記載のように、前記一方の当接面は、前記一方の当接面と当接する前記第一の面または前記第二の面に向かって凸になるように形成されてなることを特徴とする。
【００１８】
【発明の実施の形態】
以下、添付図面に基づいて、本発明を車両状態を表示する車両用表示装置に適用した一実施形態を説明する。
【００１９】
図１は、車両用表示装置（表示装置）１を示しており、表示器２と、ハウジング（ケース体）３と、保護部材４と、シート部材５と、を備えている。なお、図２は、組み付け前の表示器２，保護部材４及びシート部材５を示す要部断面図である。
【００２０】
表示器２は、車両の走行速度（車速）やエンジン回転数等の車両状態を表示するものであり、例えば、一方が透光性の第一，第二電極ラインをそれぞれ複数備え、前記各電極ラインが直交する状態で配設されるとともに、前記各電極ライン間に少なくとも発光層を含む有機層を挟持してなるドットマトリクス状の有機ＥＬ素子を備える有機ＥＬパネルからなる。表示器２は、制御手段から出力される駆動信号を駆動回路を介して入力することで、前記各電極ラインが選択されて数字，文字及び記号等の所定の表示が得られるものであり、ハウジング（ケース体）３内に収納されている。また表示器２は、図２に示すように、上面側にシート部材５と当接する第一の面２ａを備える。また、表示器２の背面側には表示器２と電気的に接続され前記駆動回路等の電子部品を備える回路基板２ｂが配設されている。なお、表示器は、ＶＦＤ（蛍光表示管）パネルあるいは液晶表示パネル等からなるものであってもよい。
【００２１】
ハウジング３は、ＡＢＳ等の樹脂材料からなる上ケース３ａと下ケース３ｂとによって構成されるものであり、上ケース３ａと下ケース３ｂとはネジ部（図示しない）によって固定されている。また、ハウジング３は、内部に表示器２を配設する載置部３ｃを備えており、接着剤を介して表示器２を固定している。上ケース３ａには、表示器２の表示領域に対向する位置に第一の開口部（開口部）３ｄが形成され、また、第一の開口部３ｄの周辺には保護部材４が配設される段差部３ｅが形成されている。また、上ケース３ａには、第二の開口部３ｆが形成され、表示器２の表示形態を選択あるいは決定する操作手段６を構成する押しボタンスイッチ６ａ，６ｂ及び６ｃが配設されている。また、ハウジング３の外周所定個所には、車両用表示装置１を車両内の所定個所に取り付けるための取付部３ｇが備えられている。
【００２２】
保護部材４は、例えば透光性のガラス材料あるいは樹脂材料等からなるものであり、ハウジング３の段差部３ｅに表示器２の第一の面２ａに対向して配設され、超音波溶着等の手段によって段差部３ｅに固定される。保護部材４は、表示器２を外部からの衝撃等から保護し、また、表示器２の表示光を透過するものである。また、保護部材４は、図２に示すように、下面側にシート部材５と当接する曲面状の第二の面４ａを備えている。第二の面４ａは、シート部材５に向かって凸となる形状、すなわち、略中央部が最も高く周辺部に向けて徐々に低くなっている形状となっている。
【００２３】
シート部材５は、例えば株式会社朝日ラバー製シリコンラバー等からなり、非粘着性であるとともに、弾性を有するものであり、表示器２の第一の面２ａと保護部材４の第二の面４ａとの間に配設され、表示器２と保護部材４とで挟持される。また、シート部材５は、図２に示すように、下面側に表示器２の第一の面２ａと当接する第一の当接面５ａを備え、上面側に保護部材４の第二の面４ａと当接する第二の当接面５ｂを備えている。
【００２４】
次に、図３を用いてシート部材５の配設方法を説明する。
【００２５】
シート部材５の配設方法として、まず、シート部材５をハウジング３の載置部３ｃに配設された表示器２上に配設し、表示器２の第一の面２ａとシート部材５の第一の当接面５ａとを当接させる（図３（ａ））。次に、保護部材４をハウジング３の段差部３ｅに押圧状態にて配設し、保護部材４の第二の面４ａとシート部材５の第二の当接面５ｂとを当接させる（図３（ｂ））。このとき、保護部材４の第二の面４ａがシート部材５に向かって凸となる形状であるため、シート部材５は、まず保護部材４の前記略中央部に当接し、その後、保護部材４とシート部材５との間にある空気を外方に押し出しながら徐々に前記周辺部に向かって当接する。また、シート部材５は、保護部材４によって押圧されて図３（ｃ）に示すように曲面部５ａの形状に沿って形状変形し、保護部材４が段差部２ｅに固定されることで、シート部材５は形状変形した状態にて表示器２の第一の面２ａと保護部材４の第二の面４ａとの間に配設されるなる。このため、シート部材５配設時にシート部材５と保護部材４との間に気泡が残存することが抑制され、かつ、シート部材５と保護部材４との密着性が損なわれることがない。
【００２６】
かかる車両用表示装置１は、シート部材５の第二の当接面５ｂと当接する保護部材４の第二の面４ａを曲面状に形成するものである。また、第二の面４ａを、シート部材５に向かって凸になるように形成するものである。また、シート部材５を、第二の面４ａに沿って形状変形した状態にて、表示器２の第一の面２ａと保護部材４の第二の面４ａとの間に配設するものである。以上の構成により、車両用表示装置１は、保護部材４の第二の面４ａ上に高低差を設けることで、シート部材５の第二の当接面５ｂをまず第二の面４ａにおいて最も高い個所である前記略中央部から当接させ、その後徐々に第二の面４ａにおいて最も低い個所である前記周辺部に向かって徐々に当接させることにより、保護部材４とシート部材５との間にある空気が外方に向かって開放されるため、気泡が残存が生じることを抑制することが可能となる。また、シート部材５の配設時に気泡の残存が抑制されるため、気泡を抜くためにシート部材５の配設後に保護部材４を手で押すといった作業が不要となり、表示装置の製造において製造効率を向上させることが可能となる。また、シート部材５の第二の当接面５ｂは、第二の面４ａの形状に沿って形状変形した状態で配設されているため、シート部材５と保護部材４との密着性が損なわれることがない。
【００２７】
なお、前述の実施の形態においては、保護部材４の第二の面４ａを曲面状に形成する構成であったが、傾斜状に形成する構成であってもよい。また、シート部材５に向かって最も高い個所は前記略中央部に限定されず、例えば端部等の他の個所が最も高くなる構成であってもよい。
【００２８】
また、本発明は、表示器のシート部材と当接する第一の面を曲面状あるいは傾斜状に形成する構成、あるいは表示器のシート部材と当接する第一の面及び保護部材のシート部材と当接する第二の面をそれぞれ曲面状あるいは傾斜状に形成する構成であってもよい。
【００２９】
また、本発明は、シート部材の表示器の第一の面と当接する第一の当接面または保護部材の第二の面と当接する第二の当接面の少なくとも一方を曲面状あるいは傾斜状に形成され、表示器の第一の面及び保護部材の第二の面が平面状に形成される構成であってもよい。
【００３０】
また、請求項７から請求項１０にかかる本発明については、その適用は表示装置に限定されるものではなく、第一の面と第二の面との間に弾性を有するシート部材を配設する構成であれば適用可能である。
【００３１】
【発明の効果】
本発明は、弾性を有するシート部材を第一の面と第二の面との間に配設するシート部材の配設方法及びこのシート部材を備えた表示装置に関し、前記第一の面または前記第二の面と前記シート部材との間に気泡が残存することを抑制可能となる。
【図面の簡単な説明】
【図１】本発明の実施の形態である車両用表示装置を示す図。
【図２】同上における表示器，保護部材及びシート部材を示す要部断面図。
【図３】同上におけるシート部材の配設方法を示す図。
【符号の説明】
１  車両用表示装置（表示装置）
２  表示器
２ａ  第一の面
３  ハウジング（ケース体）
３ｄ  第一の開口部（開口部）
４  保護部材
４ａ  第二の面
５  シート部材
５ａ  第一の当接面
５ｂ  第二の当接面
【図１】
2004294994.tif 000003
【図２】
2004294994.tif 000004
【図３】
2004294994.tif 000005